(57)【要約】【課題】  安定した構造を実現し得る脚部の伸縮構造を提供する。【解決手段】  脚部３０は、上部脚体４０と中間脚体５０とを備える。上部脚体４０は、中間脚体５０よりも大きな外形を有する。上部脚体４０は、筒状に形成されるとともに中間脚体５０に対向する側の端部が開放され、中間脚体５０を内包したときに筒状の内面と中間脚体５０の外面とが３点以上で当接する形状を有する。脚部３０は、上部脚体４０が中間脚体５０を内包することによって短縮状態となる。また、脚部３０は、上部脚体４０の下側端部が中間脚体５０と３点以上で当接するように、上部脚体４０を中間脚体５０に載置することによって伸長状態となる。【選択図】  図２
2015054188.tif 000002
【特許請求の範囲】
【請求項１】
上部に配置される脚体と下部に配置される脚体とを備え、
前記上部に配置される脚体及び前記下部に配置される脚体のうちの一方の脚体が、他方の脚体よりも大きな外形を有し、
大きな外形を有する前記一方の脚体は、筒状に形成されるとともに小さな外形を有する前記他方の脚体に対向する側の端部が開放され、前記他方の脚体を内包したときに筒状の内面と前記他方の脚体の外面とが３点以上で当接する形状を有し、
前記一方の脚体が前記他方の脚体を内包することによって短縮状態が形成され、
前記他方の脚体を前記一方の脚体に内包させる際の嵌め込み方向に沿った線を回転軸として前記他方の脚体と前記一方の脚体とを相対回転させ、前記一方の脚体における開放された側の端部が前記他方の脚体と３点以上で当接するように、前記一方の脚体を前記他方の脚体に載置する或は前記他方の脚体を前記一方の脚体に載置することによって伸長状態が形成される、脚部の伸縮構造。
【請求項２】
前記上部に配置される脚体及び前記下部に配置される脚体は、水平断面における外形が互いに相似形である、請求項１に記載の脚部の伸縮構造。
【請求項３】
前記上部に配置される脚体及び前記下部に配置される脚体の少なくともいずれかは、水平断面における外形が、楕円、長円或は多角形である、請求項１又は２に記載の脚部の伸縮構造。
【請求項４】
前記上部に配置される脚体の下端、及び、前記下部に配置される脚体の上端にはそれぞれ第一の凹部が形成され、
前記伸長状態において、前記上部に配置される脚体の前記第一の凹部と前記下部に配置される脚体の前記第一の凹部とが嵌合する、請求項１から３のいずれか一項に記載の脚部の伸縮構造。
【請求項５】
前記上部に配置される脚体の下端、及び、前記下部に配置される脚体の上端には、それぞれ前記第一の凹部とは異なる深さを有する第二の凹部が更に形成され、
前記伸長状態において、前記第一の凹部同士の嵌合に代えて、前記上部に配置される脚体の前記第二の凹部と前記下部に配置される脚体の前記第二の凹部とが嵌合する、請求項４に記載の脚部の伸縮構造。
【請求項６】
請求項１から５のいずれか一項に記載の脚部の伸縮構造を有する脚部を備えたテーブルであって、
前記脚部は１本であり、
最上部に配置される前記脚体の上端には天板が固定され、
最下部に配置される前記脚体の下端にはベース板が固定される、テーブル。
【請求項７】
前記脚部は、３以上の前記脚体によって構成される、請求項６に記載のテーブル。
【請求項８】
前記最下部に配置される脚体は、前記小さな外形を有する他方の脚体である、請求項６又は７に記載のテーブル。
【請求項９】
前記脚部を構成する前記脚体は、互いに同じ高さを有する、請求項６から８のいずれか一項に記載のテーブル。
【発明の詳細な説明】
【技術分野】
【０００１】
本発明は、脚部の伸縮構造、及び、脚部を伸縮可能なテーブルに関する。
【背景技術】
【０００２】
従来、床面から天板までの高さを変更可能なテーブルとして、例えば特許文献１に記載されたものがある。特許文献１に記載されたテーブルは、天板と、地板と、天板に取り付けられた中間脚と、地板に取り付けられた中間脚とを備えている。このテーブルは、天板側の中間脚と地板側の中間脚との位置が一致するように天板と地板とを重ねることで、高さの高いテーブルとなる。また、天板側の中間脚と地板側の中間脚との位置をずらして天板と地板とを重ねることで、高さの低いテーブルとなる。
【先行技術文献】
【特許文献】
【０００３】
【特許文献１】実用新案登録第３１４４４４４号公報
【発明の概要】
【発明が解決しようとする課題】
【０００４】
特許文献１に記載されたテーブルにおいて、天板を安定した状態で支持するためには、天板の周縁部に中間脚を複数配置する必要があり、更に、天体側の中間脚に連結される地板の大きさも大きくする必要があり、使い勝手が悪い。また、天板側の中間脚と、地板との位置ずれ等を防止するために、ジョイナーが別途必要となる。
【０００５】
そこで、本発明は、安定した構造を実現し得る脚部の伸縮構造、及び、この伸縮構造を有し少ない脚部の数で安定した構造のテーブルを提供することを目的とする。
【課題を解決するための手段】
【０００６】
本発明の一側面に係る脚部の伸縮構造は、上部に配置される脚体と下部に配置される脚体とを備える。上部に配置される脚体及び下部に配置される脚体のうちの一方の脚体が、他方の脚体よりも大きな外形を有し、大きな外形を有する一方の脚体は、筒状に形成されるとともに小さな外形を有する他方の脚体に対向する側の端部が開放され、他方の脚体を内包したときに筒状の内面と他方の脚体の外面とが３点以上で当接する形状を有する。この伸縮構造において、一方の脚体が他方の脚体を内包することによって短縮状態が形成される。また、他方の脚体を一方の脚体に内包させる際の嵌め込み方向に沿った線を回転軸として他方の脚体と一方の脚体とを相対回転させ、一方の脚体における開放された側の端部が他方の脚体と３点以上で当接するように、一方の脚体を他方の脚体に載置する或は他方の脚体を一方の脚体に載置することによって伸長状態が形成される。
【０００７】
この伸縮構造では、短縮状態において、小さな外形を有する他方の脚体の外面が大きな外形を有する一方の脚体の内面に３点以上で当接することによって脚体同士の位置が定まるため、脚体同士を固定するための固定手段を別途備える必要が無い。また、この伸縮構造をテーブルの脚部に適用した場合、上記のように、短縮状態においては脚体同士の位置が定まるため、脚部を天板の中央部に１本設けるだけで、天板の縁に偏った荷重が作用してもひっくり返り難く、安定したテーブルとなる。
【０００８】
上部に配置される脚体及び下部に配置される脚体は、水平断面における外形が互いに相似形であってもよい。この場合には、短縮状態において、他方の脚体の外面が一方の脚体の内面に面で接触するため、より一層強固に互いの位置決めがされ、安定した状態となる。また、脚体を載置する際に脚体同士の中心の位置合わせが容易となる。更に、小さな外形を有する他方の脚体が、一方の脚体内において回転することが防止される。
【０００９】
上部に配置される脚体及び下部に配置される脚体の少なくともいずれかは、水平断面における外形が、楕円、長円或は多角形であってもよい。この場合には、このような外形を有する脚体を用いて、脚部の伸縮構造を実現することができる。
【００１０】
上部に配置される脚体の下端、及び、下部に配置される脚体の上端にはそれぞれ第一の凹部が形成され、伸長状態において、上部に配置される脚体の第一の凹部と下部に配置される脚体の第一の凹部とを嵌合させてもよい。この場合には、伸長状態において、第一の凹部同士を嵌合させるだけで脚体同士の位置決めがされ、第一の凹部以外に脚体同士を固定するための固定手段を別途設けること無く、脚体同士をより強固に連結することができる。また、この伸縮構造をテーブルの脚部に適用した場合、伸長状態においても、天板の縁に偏った荷重が作用してもひっくり返り難く、安定したテーブルとなる。
【００１１】
上部に配置される脚体の下端、及び、下部に配置される脚体の上端には、それぞれ第一の凹部とは異なる深さを有する第二の凹部が更に形成され、伸長状態において、第一の凹部同士の嵌合に代えて、上部に配置される脚体の第二の凹部と下部に配置される脚体の第二の凹部とを嵌合させてもよい。この場合には、第二の凹部同士を嵌合させることにより、第一の凹部同士を嵌合させた場合とは異なる嵌合深さとなる。これにより、伸長状態において、嵌合する脚部同士の全体の長さを、第一の凹部同士が嵌合している状態とは異なる長さとすることができる。
【００１２】
本発明の他の一側面に係るテーブルは、上記の脚部の伸縮構造を有する脚部を備えたテーブルであって、脚部は１本であり、最上部に配置される脚体の上端には天板が固定され、最下部に配置される脚体の下端にはベース板が固定される。このテーブルは、上記の伸縮構造を有する脚部が設けられているため、１本の脚部のみであっても安定したテーブルとなる。また、脚部が１本であるため、テーブルの足元空間を広くすることができる。
【００１３】
上記のテーブルにおいて、脚部は、３以上の脚体によって構成されていてもよい。この場合には、高さが最も高い状態と高さが最も低い状態との間において、積み重ねる脚体の数によってテーブルの高さを複数設定することができる。ここで、２つの脚体によって構成された脚部を有するテーブルと、３つの脚体によって構成された脚部を有するテーブルとを比較する。この２つのテーブルの最も高い高さと最も低い高さとは同じとする。この状態において、３つの脚体を有している場合には、２つの脚体を有する場合に比べて、脚体の第一凹部同士を嵌合させたときに嵌合深さを長くすることができる。例えば、２つの脚体を有するテーブルにおいて、脚体の凹部同士の嵌合深さを深くするとテーブルの高さが低くなってしまうため、高さを確保するためには脚体の高さを高くする必要があり、短縮状態においてテーブルを低くすることができない。このように、３以上の脚体によって脚部を構成することで、テーブルの高低差を確保したままで脚体同士を強固に嵌合させることができ、より安定したテーブルとなる。
【００１４】
上記のテーブルにおいて、最下部に配置される脚体は、小さな外形を有する他方の脚体であってもよい。この場合には、テーブルの足元空間を更に広くすることができる。
【００１５】
脚部を構成する脚体は、互いに同じ高さを有していてもよい。この場合には、短縮状態において最も脚部の長さを短くすることができる。これにより、テーブルの脚部を短縮状態にした場合と伸長状態にした場合との高低差を大きくすることができる。
【発明の効果】
【００１６】
本発明の一側面によれば、安定した構造を実現し得る脚部の伸縮構造を提供できる。また、本発明の他の一側面によれば、少ない脚部の数で安定した構造のテーブルを提供できる。
【図面の簡単な説明】
【００１７】
【図１】一実施形態に係る丸テーブルの伸長状態における斜視図である。
【図２】図１に示す丸テーブルの分解斜視図である。
【図３】図２に示す丸テーブルを矢印Ａの方向に沿って見た図である。
【図４】図２に示す丸テーブルを矢印Ｂの方向に沿って見た図である。
【図５】図４のＶ−Ｖ線に沿った断面図である。
【図６】図４のＶＩ−ＶＩ線に沿った断面図である。
【図７】図１に示す丸テーブルの短縮状態における斜視図である。
【図８】短縮状態における脚部の水平方向の断面図である。
【図９】変形例に係る丸テーブルの分解斜視図である。
【図１０】図９に示す丸テーブルの伸長状態における斜視図である。
【図１１】図９に示す丸テーブルの伸長状態における斜視図である。
【発明を実施するための形態】
【００１８】
以下、本発明の一実施形態について図面を参照しながら説明する。なお、図面の説明において同一の要素には同一の符号を付し、重複する説明を省略する。
【００１９】
図１から図４に示すように、丸テーブル１は、天板１０、ベース板２０、及び、脚部３０を含んで構成される。天板１０は、円形の板であり、丸テーブル１の最上部に位置する。ベース板２０は、円形の板であり、天板１０よりも径が小さい。ベース板２０は、丸テーブル１の最下部に位置し、丸テーブル１が倒れないように支持する。
【００２０】
天板１０とベース板２０とは、１本の脚部３０によって接続される。脚部３０は、天板１０の下面の中央位置と、ベース板２０の上面の中央位置とを接続する。脚部３０は、伸縮構造を有している。図１は、脚部３０を伸ばして伸長状態とした状態の丸テーブル１を示している。なお、脚部３０を縮めて短縮状態とした丸テーブル１を、後述の図７に示している。
【００２１】
脚部３０は、上部脚体４０、中間脚体５０、及び、下部脚体６０によって構成される。上部脚体４０の上端は、天板１０の下面の中央位置に固定される。上部脚体４０と天板１０とは、天板１０の上面から差し込んだネジを用いて固定してもよく、或は、Ｌ字アングルを用いて固定する等、適宜の方法によって固定することができる。下部脚体６０の下端は、ベース板２０の上面の中央位置に固定される。上部脚体４０の上端を天板１０に固定する場合と同様に、適宜の方法により、ベース板２０の上面に下部脚体６０を固定することができる。
【００２２】
上部脚体４０は、脚部３０の伸長状態において下方に接続される中間脚体５０よりも、大きな外形を有する。上部脚体４０は、筒状に形成され、水平断面が長方形の枠形状を有する。上部脚体４０は、脚部３０の伸長状態において中間脚体５０に対向する側の端部（下方側の端部）が開放されている。上部脚体４０は、例えば、４枚の板を枠状に組み付けることで形成される。上部脚体４０の下端において、長辺となる一対の辺には、各辺について２つずつ凹部（第一の凹部）４１が設けられる。
【００２３】
中間脚体５０は、脚部３０の伸長状態において下方に接続される下部脚体６０よりも、大きな外形を有する。中間脚体５０は、筒状に形成され、水平断面が長方形の枠形状を有する。中間脚体５０は、脚部３０の伸長状態において下部脚体６０に対向する側の端部（下方側の端部）が開放されている。中間脚体５０は、例えば、４枚の板を枠状に組み付けることで形成される。中間脚体５０の上端において、長辺となる一対の辺には、各辺について２つずつ凹部（第一の凹部）５１が設けられる。中間脚体５０の下端において、長辺となる一対の辺には、各辺について２つずつ凹部（第一の凹部）５２が設けられる。
【００２４】
下部脚体６０は、筒状に形成され、水平断面が長方形の枠形状を有する。下部脚体６０は、例えば、４枚の板を枠状に組み付けることで形成される。下部脚体６０の上端において、長辺となる一対の辺には、各辺について２つずつ凹部（第一の凹部）６１が設けられる。
【００２５】
上部脚体４０、中間脚体５０及び下部脚体６０は、互いに相似形となっている。また、上部脚体４０、中間脚体５０及び下部脚体６０の高さは、互いに等しい。
【００２６】
まず、脚部３０を伸長状態にする場合について説明する。図１に示すように、中間脚体（一方の脚体）５０と下部脚体（他方の脚体）６０とが３点以上（本実施形態では４点）で当接するように、中間脚体５０を下部脚体６０に載置する。ここで、下部脚体６０において、中間脚体５０との当接位置に凹部６１が設けられている。同様に、中間脚体５０において、下部脚体６０との当接位置に凹部５２が設けられている。これにより、中間脚体５０を下部脚体６０に載置したときに、中間脚体５０の凹部５２と下部脚体６０の凹部６１とが互いに嵌合する。
【００２７】
なお、図５に示すように、中間脚体５０を下部脚体６０に載置する場合、中間脚体５０における長方形の枠形状の長辺と、下部脚体６０における長方形の枠形状の長辺とが互いに直交するように中間脚体５０と下部脚体６０とが配置される。また、中間脚体５０と下部脚体６０との中心同士が一致するように、中間脚体５０が下部脚体６０に載置される。
【００２８】
更に、脚部３０が伸長状態である場合、上部脚体（一方の脚体）４０と中間脚体（他方の脚体）５０とが３点以上（本実施形態では４点）で当接するように、上部脚体４０を中間脚体５０に載置する。ここで、中間脚体５０において、上部脚体４０との当接位置に凹部５１が設けられている。同様に、上部脚体４０において、中間脚体５０との当接位置に凹部４２が設けられている。これにより、上部脚体４０を中間脚体５０に載置したときに、上部脚体４０の凹部４１と中間脚体５０の凹部５１とが互いに嵌合する。
【００２９】
なお、図６に示すように、上部脚体４０を中間脚体５０に載置する場合、上部脚体４０における長方形の枠形状の長辺と、中間脚体５０における長方形の枠形状の長辺とが互いに直交するように上部脚体４０と中間脚体５０とが配置される。また、上部脚体４０と中間脚体５０との中心同士が一致するように、上部脚体４０が中間脚体５０に載置される。
【００３０】
このように、凹部同士を互いに嵌合させながら中間脚体５０を下部脚体６０に載置し、凹部同士を互いに嵌合させながら上部脚体４０を中間脚体５０に載置することで脚部３０の伸長状態が形成される。脚部３０が伸長状態である場合、例えば、丸テーブル１の高さが７００ｍｍとなるように、脚部３０の各脚体の長さを設定することができる。
【００３１】
次に、脚部３０を短縮状態にする場合について説明する。図７及び図８に示すように、上部脚体４０は、中間脚体５０を内包することができる。具体的には、上部脚体４０における長方形の枠形状の長辺と、中間脚体５０における長方形の枠形状の長辺とが互いに平行となるように上部脚体４０と中間脚体５０とを配置し、上部脚体４０の下端側から上部脚体４０内に中間脚体５０を嵌め込む。上部脚体４０は、中間脚体５０を内包したときに、上部脚体４０の筒状の内面と中間脚体５０の外面とが３点以上で当接可能となっている。本実施形態においては、上部脚体４０と中間脚体５０とが相似形であるため、上部脚体４０の筒状の内面と中間脚体５０の外面とが面で当接する。
【００３２】
同様に、中間脚体５０は、下部脚体６０を内包することができる。具体的には、中間脚体５０における長方形の枠形状の長辺と、下部脚体６０における長方形の枠形状の長辺とが互いに平行となるように中間脚体５０と下部脚体６０とを配置し、中間脚体５０の下端側から中間脚体５０内に下部脚体６０を嵌め込む。中間脚体５０は、下部脚体６０を内包したときに、中間脚体５０の筒状の内面と下部脚体６０の外面とが３点以上で当接可能となっている。本実施形態においては、中間脚体５０と下部脚体６０とが相似形であるため、中間脚体５０の筒状の内面と下部脚体６０の外面とが面で当接する。
【００３３】
脚部３０を短縮状態にした場合、上部脚体４０、中間脚体５０及び下部脚体６０が互いに同じ高さであるため、上部脚体４０、中間脚体５０及び下部脚体６０の上端がそれぞれ天板１０の下面に当接し、上部脚体４０、中間脚体５０及び下部脚体６０の下端がベース板２０の上面に当接する。短縮状態における脚部３０の長さ（天板１０及びベース板２０間の長さ）は、上部脚体４０（或いは、中間脚体５０又は下部脚体６０）の高さとなる。脚部３０が短縮状態である場合、例えば、丸テーブル１の高さが３５０ｍｍとなるように、脚部３０の各部の長さを設定することができる。
【００３４】
ここで、脚部３０を伸長状態と短縮状態とに切り替える場合について説明する。上部脚体４０及び中間脚体５０について伸長状態と短縮状態とを切り替える場合、中間脚体５０を上部脚体４０に内包させる際の嵌め込み方向に沿った線を回転軸Ｌ(図２、図５、図６及び図８参照)として上部脚体４０と中間脚体５０とを相対回転させる。そして、上部脚体４０における長方形の枠形状の長辺と、中間脚体５０における長方形の枠形状の長辺とを互いに直交させて上部脚体４０を中間脚体５０に載置することで伸長状態が形成される。また、上部脚体４０における長方形の枠形状の長辺と、中間脚体５０における長方形の枠形状の長辺とが互いに平行となるように両者を配置し、中間脚体５０を上部脚体４０に内包することで短縮状態が形成される。
【００３５】
同様に、中間脚体５０及び下部脚体６０について伸長状態と短縮状態とを切り替える場合、下部脚体６０を中間脚体５０に内包させる際の嵌め込み方向に沿った線を回転軸Ｌとして中間脚体５０と下部脚体６０とを相対回転させる。そして、中間脚体５０における長方形の枠形状の長辺と、下部脚体６０における長方形の枠形状の長辺とを互いに直交させて中間脚体５０を下部脚体６０に載置することで伸長状態が形成される。また、中間脚体５０における長方形の枠形状の長辺と、下部脚体６０における長方形の枠形状の長辺とが互いに平行となるように両者を配置し、下部脚体６０を中間脚体５０に内包することで短縮状態が形成される。
【００３６】
本実施形態は以上のように構成され、脚部３０に適用される伸縮構造では、短縮状態において、下部脚体６０の外面が中間脚体５０の内面に３点以上で当接する、及び、中間脚体５０の外面が上部脚体４０の内面に３点以上で当接することによって脚体同士の位置が定まるため、脚体同士を固定するための固定手段を別途備える必要が無い。また、脚部３０の短縮状態においては脚体同士の位置が定まるため、脚部３０を天板１０の中央部に１本設けるだけで、天板１０の縁に偏った荷重が作用してもひっくり返り難く、安定した丸テーブル１となる。また、脚部が１本であるため、テーブルの足元空間を広くすることができる。
【００３７】
上部脚体４０、中間脚体５０及び下部脚体６０は互いに相似形となっている。このため、脚部３０の短縮状態において、下部脚体６０の外面が中間脚体５０の内面に面で当接し、及び、中間脚体５０の外面が上部脚体４０の内面に面で当接し、より一層強固に脚体同士の位置決めがされ、安定した丸テーブル１となる。また、中間脚体５０を下部脚体６０に載置する際、及び、上部脚体４０を中間脚体５０に載置する際に、脚体が互いに相似形であるため、脚体同士の中心の位置合わせが容易となる。更に、中間脚体５０に内包された下部脚体６０が中間脚体５０内で回転することが防止される。同様に、上部脚体４０に内包された中間脚体５０が上部脚体４０内で回転することが防止される。
【００３８】
脚部３０の伸長状態において、上部脚体４０の凹部４１と中間脚体５０の凹部５１とを嵌合させ、中間脚体５０の凹部５２と下部脚体６０の凹部６１とを嵌合させる。この場合には、凹部同士を嵌合させるだけで上部脚体４０と中間脚体５０との位置決め、及び、中間脚体５０と下部脚体６０との位置決めがされ、これらの凹部４１、５１、５２及び６１以外に脚体同士を固定するための固定手段を別途設けること無く、脚体同士をより強固に連結することができる。また、脚部３０の伸長状態において、天板１０の縁に偏った荷重が作用してもひっくり返り難く、安定した丸テーブル１となる。
【００３９】
ここで、２つの脚体によって構成された脚部を有する丸テーブルと、実施形態のように３つの脚体（上部脚体４０、中間脚体５０及び下部脚体６０）によって構成された脚部３０を有する丸テーブル１とを比較する。この２つの丸テーブルの最も高い高さと最も低い高さとは同じとする。この状態において、実施形態のように３つの脚体を有している場合には、２つの脚体を有する場合に比べて、脚体の凹部同士（凹部４１等）を嵌合させたときに嵌合深さを長くすることができる。例えば、２つの脚体を有する丸テーブルにおいて、脚体の凹部同士の嵌合深さを深くするとテーブルの高さが低くなってしまうため、高さを確保するためには脚体の高さを高くする必要があり、短縮状態において丸テーブルを低くすることができない。このように、実施形態のように３以上の脚体によって脚部３０を構成することで、テーブルの高低差を確保したままで脚体同士を強固に嵌合させることができ、より安定した丸テーブル１となる。
【００４０】
脚部３０の最下部に配置される脚体は、小さな外形を有する下部脚体６０とすることで、丸テーブル１の足元空間を更に広くすることができる。
【００４１】
脚部３０を構成する上部脚体４０、中間脚体５０及び下部脚体６０を互いに同じ高さとする。この場合には、脚部３０を短縮状態にしたときに、最も脚部３０の長さを短くすることができる。これにより、丸テーブル１の脚部３０を短縮状態にした場合と伸長状態にした場合との高低差を大きくすることができる。
【００４２】
以上、本発明の一実施形態について説明したが、本発明は、上記実施形態に限定されるものではない。例えば、下部脚体６０に中間脚体５０を載置し、更に、中間脚体５０に上部脚体４０を載置するものとしたが、下部脚体６０が中間脚体５０に内包されている状態で、中間脚体５０に上部脚体４０を載置してもよい。また、脚部３０を、上部脚体４０、中間脚体５０及び下部脚体６０の３つの脚体によって構成したが、４つ以上の脚体によって構成してもよい。このように、脚部３０を３つ以上の脚体で構成することで、積み重ねる脚体の数を変更することで丸テーブル１の高さ複数設定することができる。
【００４３】
次に、脚部の伸長状態における長さを変更可能な変形例について説明する。図９に示すように、丸テーブル１Ａは、実施形態における丸テーブル１の中間脚体５０とは構成が異なる中間脚体５０Ａを有しており、他の構成は実施形態における丸テーブル１と同じである。図９に示すように、中間脚体５０Ａには、中間脚体５０と同様に、凹部５１及び凹部５２が設けられている。更に、中間脚体５０Ａには、凹部５１に隣接して、凹部５１よりも深さの深い凹部（第二の凹部）５３が設けられている。また、中間脚体５０Ａには、凹部５２に隣接して、凹部５２よりも深さの深い凹部（第二の凹部）５４が設けられている。
【００４４】
凹部５１と凹部５４とは、高さ方向の位置が一致している。また、凹部５２と凹部５３とは高さ方向の位置が一致している。従って、中間脚体５０Ａの上下を変更して凹部５４側を上方に向けることで、上部脚体４０の凹部４１と中間脚体５０Ａの凹部５４とを嵌合させ、中間脚体５０Ａの凹部５３と下部脚体６０の凹部６１とを嵌合させることができる。
【００４５】
例えば、図１０に示すように、実施形態における丸テーブル１と同様に、上部脚体４０の凹部４１と中間脚体５０Ａの凹部５１とを嵌合させ、中間脚体５０Ａの凹部５２と下部脚体６０の凹部６１とを嵌合させる。脚部３０の伸長状態において、中間脚体５０Ａの長さを変更する場合、図１１に示すように、中間脚体５０Ａの上下を変更して凹部５４側を上方に向けた後、上部脚体４０の凹部４１と中間脚体５０Ａの凹部５４とを嵌合させ、中間脚体５０Ａの凹部５３と下部脚体６０の凹部６１とを嵌合させる。このように、深さの深い凹部５４及び凹部５３に上部脚体４０の凹部４１及び下部脚体６０の凹部６１を嵌合させることで、図１０に示す場合に比べて、丸テーブル１Ａの高さが低くなる。
【００４６】
以上のように、中間脚体５０Ａに凹部５１及び凹部５２とは深さの異なる凹部５３及び凹部５４を設け、嵌合させる凹部を切り替えることで、脚部３０の全体の長さを変更することができ、丸テーブル１Ａの高さを容易に変えることができる。
【００４７】
また、上記実施形態及び変形例では、脚部３０を構成する上部脚体４０、中間脚体５０、中間脚体５０Ａ及び下部脚体６０は長方形の枠形状を有するものとしたが、これ以外の形状であってもよい。例えば、水平断面における外形が、楕円、長円或は多角形であってもよい。この場合には、このような外形を有する脚体を用いて、脚部３０の伸縮構造を実現することができる。
【００４８】
また、上部脚体４０と中間脚体５０とを、及び、中間脚体５０と下部脚体６０とをネジを用いて連結してもよい。この場合には、脚体同士をより一層強固に連結することができる。例えば、脚体同士を連結する場合、枠形状の脚体の内側からネジを用いて脚体同士を連結することができる。またベース板２０の中央部に設けられた孔から手を入れて、脚体の内側からネジを用いて脚体同士を連結することができる。脚体の内側からネジを用いて脚体同士を連結することで、ネジが外部に露出せず、意匠性が良い。
【００４９】
また、上記実施形態及び変形例では、伸縮構造を有する脚部３０を丸テーブル１に適用したが、例えば、高さを変更可能なイスなど、丸テーブル１以外のものに適用することもできる。また、天板１０が丸い丸テーブル１に限らず、四角形など他の天板形状を有するテーブルに脚部３０を適用してもよい。
【符号の説明】
【００５０】
１，１Ａ…丸テーブル、１０…天板、２０…ベース板、３０…脚部、４０…上部脚体（最上部に配置される脚体）、４１…凹部（第一の凹部）、５０，５０Ａ…中間脚体、５１，５２…凹部（第一の凹部）、５３，５４…凹部（第二の凹部）、６０…下部脚体（最下部に配置される脚体）、６１…凹部（第一の凹部）。
【図１】
2015054188.tif 000003
【図２】
2015054188.tif 000004
【図３】
2015054188.tif 000005
【図４】
2015054188.tif 000006
【図５】
2015054188.tif 000007
【図６】
2015054188.tif 000008
【図７】
2015054188.tif 000009
【図８】
2015054188.tif 000010
【図９】
2015054188.tif 000011
【図１０】
2015054188.tif 000012
【図１１】
2015054188.tif 000013